(57)【要約】【課題】レンズ鏡筒の収納位置での長さを短縮可能とし、侵入したゴミや砂等が撮像素子付近へ直接入り込み難い構成としたバリア装置、レンズ鏡筒、及び撮像装置を提供する。【解決手段】レンズ鏡筒は、１群レンズ駆動部２、進退筒３、バリア部材６、７、バリア駆動部８、直進筒１６、カム筒１７、固定筒１９、固定地板部材２０等を備える。第１バリア駆動部材８０１、第２バリア駆動部材８０２、第１バネ部材８０４を光軸と平行な同軸上に配置し、前記各部材が１群レンズ駆動部２と光軸方向に重ならない構成とする。第１バリア駆動部材８０１と第２バリア駆動部材８０２を、第１バネ部材８０４がチャージされる方向に所定角度互いに回動可能とする。バリア駆動部８における各連結部の貫通孔である長穴部５ｅ、穴部８０３ｂ、穴部３ｄの位相を互いに異ならせる。【選択図】図２
2007108397.tif 000002
【特許請求の範囲】
【請求項１】
撮影レンズの前面を開閉可能に覆うバリア部材と、前記バリア部材を開閉動作させるバリア駆動部とを備えたバリア装置であって、
前記バリア駆動部は、
前記バリア部材に連結され、前記撮影レンズの外周側に且つ光軸と平行に配置される回動軸を有する第１のバリア駆動部材と、
前記第１のバリア駆動部材と同軸上に配置される第２のバリア駆動部材と、
前記第１及び第２のバリア駆動部材と同軸上に配置され、前記第１及び第２のバリア駆動部材を連結するバネ部材とを備え、
前記第１及び第２のバリア駆動部材は、互いに回動可能であることを特徴とするバリア装置。
【請求項２】
前記第１のバリア駆動部材は、第１の係合部を備え、
前記第２のバリア駆動部材は、前記第１のバリア駆動部材の前記回動軸を軸支する軸支部と、前記第１のバリア駆動部材の前記第１の係合部に係合する第２の係合部とを備え、
前記第１及び第２のバリア駆動部材は、前記バネ部材をチャージする方向に、前記第１及び第２の係合部の係合構造に対応した角度だけ互いに回動可能であることを特徴とする請求項１記載のバリア装置。
【請求項３】
前記バリア部材と前記第１のバリア駆動部材との連結部と、前記バネ部材と前記第２のバリア駆動部材との取り付け部と、前記第２のバリア駆動部材への当接の有無に応じて前記バリア部材を開閉動作させるカム手段と前記第２のバリア駆動部材との当接部とが、前記第１のバリア駆動部材の前記回動軸を中心として互いに異なる位置に設定されていることを特徴とする請求項１記載のバリア装置。
【請求項４】
前記第２のバリア駆動部材が前記カム手段と当接している状態では前記バリア部材が閉じ、前記第２のバリア駆動部材が前記カム手段との当接から外れた状態では前記バリア部材が開くことを特徴とする請求項３記載のバリア装置。
【請求項５】
前記バリア部材は、前記第１のバリア駆動部材に連結される第１のバリア部材と、前記第１のバリア部材の開閉動作に連動して開閉動作を行う第２のバリア部材とから構成されることを特徴とする請求項１乃至４の何れかに記載のバリア装置。
【請求項６】
前記請求項１乃至５の何れかに記載のバリア装置が組み込まれると共に、収納位置と撮影位置との間を光軸方向に伸縮可能に構成され、
前記撮影レンズを保持する保持部材と、
前記カム手段が付設されると共に撮像手段が固定される固定部材とを備えることを特徴とするレンズ鏡筒。
【請求項７】
前記請求項６記載のレンズ鏡筒を備えることを特徴とする撮像装置。
【発明の詳細な説明】
【技術分野】
【０００１】
本発明は、撮影レンズを保護するためにレンズ鏡筒前面側に配設されるバリア部材を開閉するバリア装置、レンズ鏡筒、及び撮像装置に関する。
【背景技術】
【０００２】
従来、カメラのレンズ鏡筒に組み込まれる装置として、撮影位置と収納位置との間を光軸方向に伸縮されるレンズ鏡筒の動きに連動するバリア部材をレンズ鏡筒前面側に配設し、上記収納位置で最前面側のレンズを保護するバリア装置が知られている。
【０００３】
まず、第１の従来例に係るバリア装置（例えば、特許文献１参照）について説明する。尚、下記の説明で用いる符号は特許文献１に記載されている符号である。
【０００４】
バリア装置において、バリア６、７は、レンズ群１５の外周側に配置されたバリアリング５にバリアスプリング８により、機構的に無理が生じることを回避できるように連結されている。バリアリング５は、レンズ群１５を覆う鏡筒カバー４の中央開口部４ｃを中心に回転可能に配置されている。また、バリアリング５は、バリアスプリング９によりバリア開方向へ付勢されている。バリアリング５は、バリアギア１２を介して開閉レバー１１と連結され、開閉レバー１１は、連結軸１０に圧入され固定されている。
【０００５】
上記構成を有するバリア装置では、使用者がカメラのメインスイッチをＯＮ／ＯＦＦすること（撮影位置と収納位置との間におけるレンズ鏡筒の駆動）により、連結レバー１０の作動部１０ｂが、カム筒１、三角リング２により押される。これに伴い、連結軸１０が正逆回転され、開閉レバー１１、バリアギア１２、バリアリング５に伝達される結果、バリア６、７の開閉が行われる。
【０００６】
次に、第２の従来例に係るバリア装置（例えば、特許文献２参照）について説明する。尚、下記の説明で用いる符号は特許文献２に記載されている符号である。
【０００７】
バリア装置は、バリア部材１、２（主バリア１と副バリア２）、駆動部材（開閉レバー４）、弾性部材（吸収バネ６）から構成される。開閉レバー４は、主バリア１と副バリア２を開状態及び閉状態に駆動する。吸収バネ６は、主バリア１と副バリア２に対する開閉レバー４の逃げ移動を吸収する（機構的に無理が生じることを回避する）ものであり、主バリア１の裏面に形成された座グリ部１ｄに収容されている。
【特許文献１】特開平７−１５９８５６号公報
【特許文献２】特開平９−２１１５３６号公報
【発明の開示】
【発明が解決しようとする課題】
【０００８】
しかしながら、上記特許文献１記載のバリア装置では、レンズ群１５の外周側の領域にバリアスプリング８、９、バリアギア１２、開閉レバー１１をバリア開閉作動面とほぼ同一平面状に配置し、バリアリング５を駆動することでバリア開閉を行っている。そのため、例えばレンズ群１５の駆動機構を設置する際には、バリアリング５と光軸方向に並列な関係の位置（バリアリング５のレンズ群１６側）に設置することになり、レンズ鏡筒の収納状態の長さ（沈胴長）が大きくなってしまうという問題がある。
【０００９】
また、該バリア装置では、開閉レバー１１を回動させる連結軸１０が、レンズ鏡筒を光軸方向に貫通した状態に配置されている。そのため、レンズ鏡筒前面の開口部からゴミや砂等がレンズ鏡筒内部に侵入した場合、カメラのピント面付近へ直接入り込むことが懸念されるという問題がある。
【００１０】
また、上記特許文献２記載のバリア装置では、主バリア１の裏面に形成された座グリ部１ｄに吸収バネ６を収容する構成となっている。そのため、バリア部材（主バリア１）を吸収バネ６の収容が可能な厚みに構成することが必要となり、撮影レンズ前面からレンズ鏡筒先端までの光軸方向の厚みが増大する結果、やはり沈胴長が長くなってしまうという問題がある。
【００１１】
本発明の目的は、レンズ鏡筒の収納位置での長さを短縮可能とし、侵入したゴミや砂等が撮像手段付近へ直接入り込み難い構成としたバリア装置、レンズ鏡筒、及び撮像装置を提供することにある。
【課題を解決するための手段】
【００１２】
上述の目的を達成するために、本発明のバリア装置は、撮影レンズの前面を開閉可能に覆うバリア部材と、前記バリア部材を開閉動作させるバリア駆動部とを備えたバリア装置であって、前記バリア駆動部は、前記バリア部材に連結され、前記撮影レンズの外周側に且つ光軸と平行に配置される回動軸を有する第１のバリア駆動部材と、前記第１のバリア駆動部材と同軸上に配置される第２のバリア駆動部材と、前記第１及び第２のバリア駆動部材と同軸上に配置され、前記第１及び第２のバリア駆動部材を連結するバネ部材とを備え、前記第１及び第２のバリア駆動部材は、互いに回動可能であることを特徴とする。
【発明の効果】
【００１３】
本発明によれば、第１のバリア駆動部材、第２のバリア駆動部材、両部材を連結するバネ部材を光軸と平行な同軸上に配置する。これにより、バリア装置が組み込まれるレンズ鏡筒の収納位置での長さを短縮することが可能となる。また、バリア部材と第１のバリア駆動部材の連結部、バネ部材と第２のバリア駆動部材の取り付け部、カム手段と第２のバリア駆動部材の当接部を、第１のバリア駆動部材の回動軸を中心として異なる位置とする。これにより、レンズ鏡筒内に侵入したゴミや砂等が撮像手段付近へ直接入り込み難い構成とすることが可能となる。
【発明を実施するための最良の形態】
【００１４】
以下、本発明の実施の形態を図面を参照して説明する。
【００１５】
図１は、本発明の実施の形態に係るレンズ鏡筒の収納位置（沈胴位置）を示す断面図である。図２は、図１と異なる断面におけるレンズ鏡筒の収納位置を示す断面図である。図３は、レンズ鏡筒の全体の構成を示す分解斜視図である。
【００１６】
図１乃至図３において、レンズ鏡筒は、第１レンズ群１、１群レンズ駆動部２、進退筒３、第１地板部材５、バリア部材６、７、バリア駆動部８、第２レンズ群１１、第２レンズ保持部材１２、直進筒１６、カム筒１７、固定筒１９、固定地板部材２０等を備えている。
【００１７】
レンズ鏡筒は、収納位置（沈胴位置）と撮影位置との間を光軸方向に伸縮可能に構成されている。１群レンズ駆動部（フォーカス駆動部）２は、第１レンズ群１を保持する第１レンズ保持部材２０１を備えており、第１レンズ群１の光軸方向の位置を移動させるフォーカス動作を行う。進退筒３は、進退筒自身の回転規制のための凸部３ａを外周部に備えている。進退筒３の内周部には、１群レンズ駆動部２が取り付けられ、進退筒３の外周部には、カムフォロア４が圧入され固定されている。第１地板部材５は、ガイド軸部５ａを備えており、進退筒３の内周部に取り付けられる。
【００１８】
バリア部材６、７は、第１レンズ群１を保護する部材であり、第１地板部材５に対し光軸方向と交差する方向に回動可能に取り付けられる。バリア駆動部８は、バリア部材６、７の開閉動作を行うものであり、進退筒３及び第１地板部材５に取り付けられ固定される。カバー部材９は、バリア部材６、７の前面側を覆う部材であり、レンズ鏡筒の前面側に配置される開口部９ａを備えている。キャップ部材１０は、カバー部材９の前面側を覆う部材である。
【００１９】
第２レンズ保持部材１２は、第２レンズ群１１を保持する部材であり、複数の凸部１２ａ及びカムフォロア部１２ｂを外周部に備えている。シャッタ駆動機構部１３は、第２レンズ保持部材１２に取り付けられるものであり、絞り・シャッタ部材１４を開閉する。絞り・シャッタ部材１４は、第２レンズ保持部材１２に取り付けられ、シャッタ駆動機構部１３により開閉動作が行われる。カバー部材１５は、絞り・シャッタ部材１４を覆う部材である。
【００２０】
直進筒１６は、進退筒３及び第２レンズ保持部材１２の外側に配置される概略円筒状の部材であり、直進ガイド溝部１６ａ、直進ガイド溝部１６ｂ、凸部１６ｃ、凸部１６ｄを備えている。直進ガイド溝部１６ａ及び１６ｂは、直進筒１６の外周部から内周部にかけて光軸方向に沿う状態に配設されており、進退筒３の凸部３ａ、第２レンズ保持部材１２の凸部１２ａとそれぞれ係合される。凸部１６ｃ及び１６ｄは、進退筒３の外周部に配設されている。
【００２１】
カム筒１７は、直進筒１６の外側に配置される概略円筒状の部材であり、ギア部１７ａ、溝部１７ｂ、カム部１７ｃ、カム部１７ｄを備えている。ギア部１７ａは、カム筒１７の外周部に配設されており、ギア部材２１と噛み合う。溝部１７ｂは、カム筒１７の外周面に対して同心状に内周側に配設されており、直進筒１６の凸部１６ｃと係合される。これにより、カム筒１７と直進筒１６とは互いに回動可能となる。カム部１７ｃ、１７ｄは、それぞれ、進退筒３のカムフォロア４、第２レンズ保持部材１２のカムフォロア部１２ｂとカム結合される。カム筒１７の外周部には、カムフォロア１８が圧入され固定されている。
【００２２】
固定筒１９は、カム筒１７の外側に配置される概略円筒状の部材であり、カム部１９ａ、直進ガイド溝部１９ｂを備えている。カム部１９ａは、固定筒１９の内周部に配設されており、カム筒１７のカムフォロア１８とカム結合される。直進ガイド溝部１９ｂは、固定筒１９の内周部に配設されており、直進筒１６の凸部１６ｄと係合される。固定地板部材２０は、固定筒１９の端面に対しネジにより固定される部材であり、バリア部材６、７を開閉動作させるためのバリアカム部２０ａを備えている。固定地板部材２０は、不図示のカメラ本体に固定される。
【００２３】
ギア部材２１は、カム筒１７のギア部１７ａと噛み合う部材であり、回転軸部材２２が圧入され固定される軸穴部を備えており、不図示の駆動源により回転駆動される。回転軸部材２２は、ギア部材２１の上記軸穴部に固定されることでギア部材２１を支持する部材であり、固定筒１９に固定される。光学部材２３は、固定地板部材２０に取り付けられる。ＣＣＤ２４は、固定地板部材２０に所定の固定方法により固定され且つ結線される撮像素子であり、光学部材２３を介して被写体の光学像が結像されるピント面（受光面）を有する。
【００２４】
図４は、１群レンズ駆動部２が進退筒３に取り付けられた状態を示す斜視図である。図５は、１群レンズ駆動部２を別方向から見た状態を示す斜視図である。
【００２５】
図４及び図５において、進退筒３は一部を切断した状態を図示しており、また、地板部材５は一部（ガイド軸部５ａ）のみ図示している。１群レンズ駆動部２は、上記第１レンズ保持部材２０１の他に、ガイド部材２０２、ネジ部材２０３、ナット部材２０４、バネ部材２０５、ギア部材２０６、段ギア部材２０７、ステッピングモータ２０８、ギア部材２０９を備えている。
【００２６】
第１レンズ保持部材２０１は、主ガイド部２０１ａ、副ガイド部２０１ｂ、受け部２０１ｃ、回り止め部２０１ｄを備えている。第１地板部材５には、第１レンズ保持部材２０１の副ガイド部２０１ｂと係合するガイド軸部５ａが設けられている。
【００２７】
ガイド部材２０２は、第１レンズ保持部材２０１の主ガイド部２０１ａに係合し、第１レンズ保持部材２０１を光軸方向にガイドする部材であり、進退筒３と第１地板部材５に挟まれて固定されている。ネジ部材２０３は、ギア部２０３ａとネジ部２０３ｂを備えている。ナット部材２０４は、ネジ部材２０３のネジ部２０３ｂとネジ結合されると共に、第１レンズ保持部材２０１の受け部２０１ｃに取り付けられており、第１レンズ保持部材２０１の回り止め部２０１ｄにより回転規制されている。
【００２８】
バネ部材２０５は、第１レンズ保持部材２０１の主ガイド部２０１ａの外周側に配置されており、第１レンズ保持部材２０１とナット部材２０４をネジ部材２０３のネジ部２０３ｂへ付勢している。ギア部材２０６は、ネジ部材２０３のギア部２０３ａとギア結合されている。段ギア部材２０７は、ギア部材２０６とギア結合されている。ステッピングモータ２０８は、取り付け部２０８ａにより進退筒３に取り付けられ、第１レンズ保持部材２０１を光軸方向へ進退動作させる駆動力を発生する。ギア部材２０９は、ステッピングモータ２０８に圧入され固定されており、ギア部材２０７と噛み合う。
【００２９】
図６は、バリア駆動部８の詳細構成を示す分解斜視図である。図７は、第１バリア駆動部材８０１と第２バリア駆動部材８０２の構成を示す分解斜視図である。
【００３０】
図６及び図７において、進退筒３は形状の一部を削除し切断した状態を図示している。進退筒３は、凸部３ａ、軸部３ｂ、凸部３ｃ、穴部３ｄを備えている。第１地板部材５は、上記ガイド軸部５ａ（図１参照）の他に、軸部５ｂ、穴部５ｃ、穴部５ｄ、長穴部５ｅ、凸部５ｆを備えている。バリア部材６は、穴部６ａ、ギア部６ｂ、長穴部６ｃを備えている。バリア部材７は、軸部７ａ、ギア部７ｂを備えている。
【００３１】
バリア部材６は、穴部６ａに第１地板部材５の軸部５ｂが挿入されることで第１地板部材５に対してその面内で回動可能に取り付けられると共に、ギア部６ｂがバリア部材７のギア部７ｂとギア結合される。バリア部材７は、軸部７ａが第１地板部材５の穴部５ｃに挿入されることで第１地板部材５に対してその面内で回動可能に取り付けられると共に、ギア部７ｂがバリア部材６のギア部６ｂとギア結合される。
【００３２】
第１バリア駆動部材８０１は、凸部８０１ａ、軸部８０１ｂ、バネ掛け部８０１ｃ、段軸部８０１ｄ、凸部８０１ｅを備えている。凸部８０１ａは、第１地板部材５の長穴部５ｅを貫通してバリア部材６の長穴部６ｃに連結される。軸部８０１ｂは、第１地板部材５の穴部５ｄに係合され且つ回動可能に構成されると共に、第１レンズ群１の外周側で且つ光軸と平行に配置される。
【００３３】
第２バリア駆動部材８０２は、内径部８０２ａ、内径部８０２ｂ、バネ掛け部８０２ｃ、バネ掛け部８０２ｄ、レバー腕部８０２ｅ、切り欠き部８０２ｆを備えている。第２バリア駆動部材８０２は、第１バリア駆動部材８０１と同軸上に配置される。内径部８０２ａは、進退筒３の軸部３ｂを回動可能に軸支する。内径部８０２ｂは、第１バリア駆動部材８０１の段軸部８０１ｄを回動可能に軸支する。レバー腕部８０２ｅは、進退筒３の穴部３ｄを貫通する状態に配置され、バリア開閉動作に応じて、固定地板部材２０のバリアカム部２０ａとの当接が外れた状態（バリア開状態）、バリアカム部２０ａと当接する状態（バリア閉状態）となる。
【００３４】
第２地板部材８０３は、穴部８０３ａ、穴部８０３ｂを備えている。穴部８０３ａは、第２バリア駆動部材８０２の円筒形状部分と係合することで第２バリア駆動部材８０２を回動可能に軸支する。穴部８０３ｂには、第２バリア駆動部材８０２のバネ掛け部８０２ｃが貫通される。
【００３５】
第１バネ部材８０４は、第１バリア駆動部材８０１及び第２バリア駆動部材８０２と同軸上で且つ第２バリア駆動部材８０２の外径側に配置され、第１バリア駆動部材８０１のバネ掛け部８０１ｃと第２バリア駆動部材８０２のバネ掛け部８０２ｃに取り付けられる。第１バネ部材８０４により、第１バリア駆動部材８０１と第２バリア駆動部材８０２が連結される。
【００３６】
第２バネ部材８０５は、第２バリア駆動部材８０２のバネ掛け部８０２ｄと進退筒３の凸部３ｃに取り付けられる。第２バネ部材８０５は、第１バネ部材８０４により連結されている第１バリア駆動部材８０１及び第２バリア駆動部材８０２を時計回り方向（バリア開方向）へ付勢する。
【００３７】
ここで、第１バリア駆動部材８０１と第２バリア駆動部材８０２と第１バネ部材８０４の関係について説明する。
【００３８】
第１バリア駆動部材８０１には、上述したように凸部８０１ｅ（図７）が設けられている。通常は、第１バリア駆動部材８０１と第２バリア駆動部材８０２は、バネ掛け部８０１ｃ、８０２ｃに取り付けられる第１バネ部材８０４によって一体で回動するが、第１バネ部材８０４をチャージする方向の力が加わった場合にのみ、以下のようになる。即ち、第１バリア駆動部材８０１の凸部８０１ｅと第２バリア駆動部材８０２の切り欠き部８０２ｆの関係により、第１バリア駆動部材８０１と第２バリア駆動部材８０２は、切り欠き部８０２ｆの角度分、互いに回動可能となっている。
【００３９】
次に、上記のごとく構成された本実施の形態のレンズ鏡筒の各種動作について図８乃至図１８を参照しながら詳細に説明する。
【００４０】
まず、レンズ鏡筒全体（レンズ鏡筒を構成する各部材）の光軸方向における進退動作について説明する。
【００４１】
図８は、レンズ鏡筒の撮影位置（ＷＩＤＥ位置）を示す断面図である。図９は、図８と異なる断面におけるレンズ鏡筒の撮影位置（ＷＩＤＥ位置）を示す断面図である。図１０は、レンズ鏡筒の撮影位置（ＴＥＬＥ位置）を示す断面図である。図１１は、図１０と異なる断面におけるレンズ鏡筒の撮影位置（ＴＥＬＥ位置）を示す断面図である。
【００４２】
図８乃至図１１において、不図示の駆動源によりギア部材２１が回転させられると、ギア部材２１とカム筒１７のギア部１７ａとが噛み合っているので、カム筒１７は、回動すると共に光軸方向へ進退動作する。即ち、カム筒１７のカムフォロア１８と固定筒１９のカム部１９ａとがカム結合されているので、カム筒１７は、不図示のカム軌跡に沿って光軸方向へ進退動作する。このとき、直進筒１６は、凸部１６ｄと固定筒１９の直進ガイド溝部１９ｂとの係合により光軸回りの回転を阻止された状態で、凸部１６ｃとカム筒１７の溝部１７ｂとの係合により一体となって光軸方向へ進退動作する。
【００４３】
カム筒１７が回動すると、進退筒３は、凸部３ａと直進筒１６の直進ガイド溝部１６ａとの係合により光軸回りの回転を阻止された状態で、カムフォロア４と直進筒１６の凸部１６ｃとの係合により不図示のカム軌跡に沿って光軸方向へ進退動作する。同様に、第２レンズ保持部材１２は、凸部１２ａと直進筒１６の直進ガイド溝部１６ｂとの係合により光軸回りの回転を阻止された状態で、カムフォロア部１２ｂとカム筒１７のカム部１７ｄとの係合により不図示のカム軌跡に沿って光軸方向へ進退動作する。
【００４４】
これにより、レンズ鏡筒は、収納位置（図１、図２）から撮影位置（図８、図９）であるＷＩＤＥ（Wide Angle:広角側）位置状態となる。また、レンズ鏡筒は、ＷＩＤＥ位置状態から撮影位置（図１０、図１１）であるＴＥＬＥ（Telescope:望遠側）位置状態へズーム動作を行う。
【００４５】
次に、レンズ鏡筒のフォーカス動作について説明する。
【００４６】
１群レンズ駆動部２のモータ２０８に不図示の配線を介して所定の通電パターンで電力が供給されると、ギア部材２０９が所定の方向に回転し、その回転力がギア部材２０７、ギア部材２０６、ギア部２０３ａに伝達され、ネジ部材２０３が回転する。ネジ部材２０３が回転すると、その回転力がナット部材２０４に伝達される。ナット部材２０４と第１レンズ保持部材２０１は、バネ部材２０５によりネジ部材２０３のネジ部２０３ｂに付勢されているので、一体となって光軸方向へ進退動作する。
【００４７】
このように、１群レンズ駆動部２により第１レンズ群１の光軸方向の位置を移動させることでフォーカス動作が行われる。この場合、レンズ鏡筒が上記撮影位置の時のみフォーカス動作が行われる。
【００４８】
次に、レンズ鏡筒のバリア開閉動作について説明する。
【００４９】
図１２は、バリア閉状態におけるバリア駆動部８を示す斜視図、図１３は、バリア開状態におけるバリア駆動部８を示す斜視図、図１４は、バリア部材６、７を開く方向へ外力が加わった状態におけるバリア駆動部８を示す斜視図である。図１５は、バリア閉状態を示す正面図、図１６は、バリア開状態を示す正面図である。図１７は、第１バリア駆動部材８０１と第２バリア駆動部材８０２の関係を示す正面図であり、（ａ）は、バリア閉状態を示す正面図、（ｂ）は、不測の外力が加わった状態を示す正面図、（ｃ）は、バリア開状態を示す正面図である。
【００５０】
図１２乃至図１７において、進退筒３と固定地板部材２０は一部のみ図示している。まず、レンズ鏡筒の収納位置（図１、図２）では、バリア６、７は閉状態（図１２、図１５）である。このときは、第２バリア駆動部材８０２は、レバー腕部８０２ｅが固定地板部材２０のバリアカム部２０ａと当接し、第２バネ部材８０５をチャージして反時計回り方向へ回転している。また、第１バネ部材８０４により第２バリア駆動部材８０２と連結されている第１バリア駆動部材８０１も、反時計回り方向へ回転した状態となっている。
【００５１】
バリア部材６は、長穴部６ｃが第１バリア駆動部材８０１の凸部８０１ａに連結されているので、穴部６ａを中心に時計回り方向へ回転する。また、バリア部材７は、ギア部７ｂがバリア部材６のギア部６ｂとギア結合されているので、軸部７ａを中心に反時計回り方向へ回転する。これにより、バリア部材６、７は閉状態（図１２、図１５）となっている。
【００５２】
このようなバリア閉状態において、バリア部材６、７を開く方向への不測の外力が加わったときは、第１バリア駆動部材８０１が時計回り方向へ回転させられることになる。上述したように、第１バネ部材８０４により連結されている第１バリア駆動部材８０１と第２バリア駆動部材８０２は、第１バネ部材８０４をチャージする方向に切り欠き部８０２ｆの角度分、互いに回動可能となっている。第１バネ部材８０４がチャージされることで、機構的に無理が生じることを吸収し回避している。
【００５３】
次に、レンズ鏡筒が撮影位置（図８、図９）になると、バリア開状態（図１３、図１６）となる。このときは、上述したレンズ鏡筒全体の進退動作により、収納位置から撮影位置への進退筒３の光軸方向の移動に伴い、第２バリア駆動部材８０２のレバー腕部８０２ｅが固定地板部材２０のバリアカム部２０ａとの当接から外れていく。これに伴い、第２バネ部材８０５の付勢方向（時計回り方向）へ第２バリア駆動部材８０２が回転し、第１バネ部材８０４により第２バリア駆動部材８０２と連結されている第１バリア駆動部材８０１も、時計回り方向へ回転する。
【００５４】
バリア部材６は、長穴部６ｃが第１バリア駆動部材８０１の凸部８０１ａに連結されているので、穴部６ａを中心に反時計回り方向へ回転する。また、バリア部材７は、ギア部７ｂがバリア部材６のギア部６ｂとギア結合されているので、軸部７ａを中心に時計回り方向へ回転する。これに伴い、第１地板部材５の凸部５ｆとバリア部材７の側面とが当接する。これにより、バリア部材６、７は開状態（図１３、図１６）となる。
【００５５】
図１８は、バリア装置としてのバリア駆動機構の貫通部を示す正面図である。
【００５６】
図１８において、第１地板部材５の長穴部５ｅは、バリア部材６の長穴部６ｃと第１バリア駆動部材８０１の凸部８０１ａとの連結部の貫通部である。第２地板部材８０３の穴部８０３ｂは、第２バリア駆動部材８０２のバネ掛け部８０２ｃと第１バネ部材８０４との取り付け部の貫通部である。進退筒３の穴部３ｄは、第２バリア駆動部材８０２のレバー腕部８０２ｅと固定地板部材２０のバリアカム部２０ａとの当接部の貫通部である。
【００５７】
これらの貫通部である、第１地板部材５の長穴部５ｅ、第２地板部材８０３の穴部８０３ｂ、進退筒３の穴部３ｄは、第１バリア駆動部材８０１の回動中心を中心として異なった位置関係となっている。
【００５８】
以上説明したように、本実施の形態によれば、バリア駆動機構、即ち、第１バリア駆動部材８０１と、第２バリア駆動部材８０２と、第１及び第２バリア駆動部材を連結する第１バネ部材８０４とを光軸と平行な同軸上に配置する構成とする。更に、バリア駆動機構を、前記各部材が１群レンズ駆動部（フォーカス駆動部）２と光軸方向に重ならない構成とする。これにより、レンズ鏡筒の収納位置での長さ（沈胴長）を短縮することが可能となる。また、スペース効率を高めることが可能となる。
【００５９】
この場合、上記の第１バリア駆動部材８０１と第２バリア駆動部材８０２を同軸上に配置する構成を、第２バリア駆動部材８０２に内径部８０２ｂを設けて第１バリア駆動部材８０１を軸支することで実現している。そのため、第１バリア駆動部材８０１を別途軸支する構成部品やスペースを光軸方向において省略できるので、レンズ鏡筒の上記沈胴長の短縮が可能となる。
【００６０】
また、第１バネ部材８０４により連結されている第１バリア駆動部材８０１と第２バリア駆動部材８０２を、第１バネ部材８０４がチャージされる方向に所定角度互いに回動可能とし、機構的に無理が生じたときに吸収するようにしている。これにより、バリア部材６に吸収バネ収容部を設けることが不要となり、バリア部材６の厚みを大きくする必要がなくなるため、第１レンズ群（撮影レンズ）前面からレンズ鏡筒先端までの光軸方向の厚みを抑制することが可能となる。
【００６１】
更に、バリア駆動機構における以下に示す連結部と取り付け部と当接部とを、第１バリア駆動部材８０１の回動軸（軸部８０１ｂ、段軸部８０１ｄ）を中心として異なる位置とする。連結部は、バリア部材６の長穴部６ｃと第１バリア駆動部材８０１の凸部８０１ａとの連結部である。取り付け部は、第２バリア駆動部材８０２のバネ掛け部８０２ｃと第１バネ部材８０４との取り付け部である。当接部は、第２バリア駆動部材８０２のレバー腕部８０２ｅと固定地板部材２０のバリアカム部２０ａとの当接部である。
【００６２】
上記の位置関係により、貫通部である第１地板部材５の長穴部５ｅと第２地板部材８０３の穴部８０３ｂと進退筒３の穴部３ｄも、第１バリア駆動部材８０１の回動軸を中心として互いに異なる位置となる。これにより、レンズ鏡筒前面側に配置されるカバー部材９の開口部９ａから侵入したゴミや砂等が、光学部材２３やＣＣＤ２４付近へ直接入り込み難い構成とすることが可能となる。
【００６３】
［他の実施の形態］
上記実施の形態では、バリア駆動機構を備えたレンズ鏡筒について説明したが、本発明は、レンズ鏡筒が装着される撮像装置にも適用することが可能である。
【図面の簡単な説明】
【００６４】
【図１】本発明の実施の形態に係るレンズ鏡筒の収納位置（沈胴位置）を示す断面図である。
【図２】図１と異なる断面におけるレンズ鏡筒の収納位置を示す断面図である。
【図３】レンズ鏡筒の全体の構成を示す分解斜視図である。
【図４】１群レンズ駆動部が進退筒に取り付けられた状態を示す斜視図である。
【図５】１群レンズ駆動部を別方向から見た状態を示す斜視図である。
【図６】バリア駆動部の詳細構成を示す分解斜視図である。
【図７】第１バリア駆動部材と第２バリア駆動部材の構成を示す分解斜視図である。
【図８】レンズ鏡筒の撮影位置（ＷＩＤＥ位置）を示す断面図である。
【図９】図８と異なる断面におけるレンズ鏡筒の撮影位置（ＷＩＤＥ位置）を示す断面図である。
【図１０】レンズ鏡筒の撮影位置（ＴＥＬＥ位置）を示す断面図である。
【図１１】図１０と異なる断面におけるレンズ鏡筒の撮影位置（ＴＥＬＥ位置）を示す断面図である。
【図１２】バリア閉状態におけるバリア駆動部を示す斜視図である。
【図１３】バリア開状態におけるバリア駆動部を示す斜視図である。
【図１４】バリア部材を開く方向へ外力が加わった状態におけるバリア駆動部を示す斜視図である。
【図１５】バリア閉状態を示す正面図である。
【図１６】バリア開状態を示す正面図である。
【図１７】第１バリア駆動部材と第２バリア駆動部材の関係を示す正面図であり、（ａ）は、バリア閉状態を示す正面図、（ｂ）は、不測の外力が加わった状態を示す正面図、（ｃ）は、バリア開状態を示す正面図である。
【図１８】バリア装置としてのバリア駆動機構の貫通部を示す正面図である。
【符号の説明】
【００６５】
１  第１レンズ群(撮影レンズ)
６  バリア部材（第１のバリア部材）
７  バリア部材（第２のバリア部材）
８  バリア駆動部
１１  第２レンズ群
２０  固定地板部材（固定部材）
２０ａ  バリアカム部（カム手段）
２４  ＣＣＤ（撮像手段）
２０１  第１レンズ保持部材（保持部材）
８０１  第１バリア駆動部材（第１のバリア駆動部材）
８０１ａ  凸部
８０１ｂ  軸部
８０１ｄ  段軸部（回動軸）
８０１ｅ  凸部（第１の係合部）
８０２  第２バリア駆動部材（第２のバリア駆動部材）
８０２ｂ  内径部（軸支部）
８０２ｃ  バネ掛け部
８０２ｅ  レバー腕部
８０２ｆ  切り欠き部（第２の係合部）
８０４  第１バネ部材（バネ部材）
【図１】
2007108397.tif 000003
【図２】
2007108397.tif 000004
【図３】
2007108397.tif 000005
【図４】
2007108397.tif 000006
【図５】
2007108397.tif 000007
【図６】
2007108397.tif 000008
【図７】
2007108397.tif 000009
【図８】
2007108397.tif 000010
【図９】
2007108397.tif 000011
【図１０】
2007108397.tif 000012
【図１１】
2007108397.tif 000013
【図１２】
2007108397.tif 000014
【図１３】
2007108397.tif 000015
【図１４】
2007108397.tif 000016
【図１５】
2007108397.tif 000017
【図１６】
2007108397.tif 000018
【図１７】
2007108397.tif 000019
【図１８】
2007108397.tif 000020